(57)【要約】【課題】  復調受信ＩＣの内部の受信利得制御を行うデジタル信号に、可変利得低雑音増幅器の利得制御のための情報を持たせ、復調受信ＩＣが、デジタル信号を可変利得低雑音増幅器の利得制御のためのデジタル制御信号として出力することにより、利得制御のための接続を削減でき、デジタル制御信号に係る情報を削減することができるという効果を有する受信装置又は復調受信ＩＣを提供することにある。【解決手段】  内部の受信利得制御をデジタル信号で行う復調受信ＩＣと、受信信号を増幅する可変利得低雑音増幅器とを備え、デジタル信号に、可変利得低雑音増幅器の利得制御のための情報を持たせ、復調受信ＩＣが、デジタル信号を可変利得低雑音増幅器の利得制御のためのデジタル制御信号として出力し、可変利得低雑音増幅器を制御する構成を有している。【選択図】図１
2005333212.tif 000002
【特許請求の範囲】
【請求項１】
内部の受信利得制御をデジタル信号で行う復調受信ＩＣと、
受信信号を増幅する可変利得低雑音増幅器とを備え、
該デジタル信号に、該可変利得低雑音増幅器の利得制御のための情報を持たせ、
該復調受信ＩＣが、該デジタル信号を該可変利得低雑音増幅器の利得制御のためのデジタル制御信号として出力し、該可変利得低雑音増幅器を制御することを特徴とする受信装置。
【請求項２】
内部の受信利得制御をデジタル信号にて行うことができると共に、
該デジタル信号に、外部の可変利得低雑音増幅器の利得制御のための情報を持たせてデジタル制御信号として出力し、該可変利得低雑音増幅器を制御することを特徴とする復調受信ＩＣ。
【発明の詳細な説明】
【技術分野】
【０００１】
本発明は、受信装置及び復調受信ＩＣに関し、特に受信利得の制御に関するものである。
【背景技術】
【０００２】
従来、無線方式等の受信回路で多く用いられていたスーパへテロダイン方式における利得制御は、ミキサにてＲＦ周波数をＩＦ周波数に変換し、利得制御増幅器を用いてアナログ電圧を加えることで制御を行っていた。
【０００３】
しかし、最近では、ＩＦ周波数への変換が不必要な直接復調方式を用いた受信回路が多くなった。この方式では、復調部で、ＲＦ周波数をベースバンド信号に直接復調している。そして、復調部内の増幅器の利得を、利得制御器からのデジタル信号にて調整することで、復調信号の利得制御を行っている。
【０００４】
また、受信感度向上のために通常、受信回路の初段には低雑音増幅器（ＬＮＡ）が用いられている。このＬＮＡは、受信信号が弱い弱電界では利得が大きく、雑音が低い状態で動作している。しかしながら、受信信号が強い強電界では弱電界と同様の動作状態でいると、増幅器自身でひずんでしまうため、利得が小さく、雑音が高い状態で動作を行う。この動作状態の切替は従来、制御部から直接行われ、電圧のハイローで制御することが多い。
尚、この先行技術は、文献公知に係るものでないため、記載すべき先行技術文献情報はない。
【発明の開示】
【発明が解決しようとする課題】
【０００５】
しかしながら、従来の受信回路の利得制御においては、直接復調方式の復調部とＬＮＡとはまったく別に制御されるため、制御部とそれぞれに接続が必要になる。また、制御情報も、直接復調方式の利得テーブルとＬＮＡ切替利得情報との２つが必要になっている。
【０００６】
本発明は、上記従来の問題を解決するもので、利得制御のための接続を削減し、利得制御のための情報を削減できる受信装置及び復調受信ＩＣを提供することを目的とする。
【課題を解決するための手段】
【０００７】
本発明の受信装置は、内部の受信利得制御をデジタル信号で行う復調受信ＩＣと、受信信号を増幅する可変利得低雑音増幅器とを備え、デジタル信号に、可変利得低雑音増幅器の利得制御のための情報を持たせ、復調受信ＩＣが、デジタル信号を可変利得低雑音増幅器の利得制御のためのデジタル制御信号として出力し、可変利得低雑音増幅器を制御する構成を有している。
この構成により、利得制御のためのデジタル制御信号の接続を削減し、デジタル制御信号に係る情報を削減することができる。
【０００８】
本発明の復調受信ＩＣは、内部の受信利得制御をデジタル信号にて行うことができると共に、デジタル信号に、外部の可変利得低雑音増幅器の利得制御のための情報を持たせてデジタル制御信号として出力し、可変利得低雑音増幅器を制御する構成を有している。
この構成により、利得制御のためのデジタル制御信号の接続を削減し、デジタル制御信号に係る情報を削減することができる。
【発明の効果】
【０００９】
本発明は、復調受信ＩＣの内部の受信利得制御を行うデジタル信号に、可変利得低雑音増幅器の利得制御のための情報を持たせ、復調受信ＩＣが、デジタル信号を可変利得低雑音増幅器の利得制御のためのデジタル制御信号として出力することにより、利得制御のための接続を削減でき、デジタル制御信号に係る情報を削減することができるという効果を有する受信装置又は復調受信ＩＣを提供することにある。
【発明を実施するための最良の形態】
【００１０】
次に、本発明の実施のするための最良の形態について図面を参照して説明する。図１は、本発明に係る受信装置の構成を示す構成図である。
この受信装置は、信号を受信するアンテナ部１と、送信等の受信信号以外の妨害波を抑圧する共用器２と、利得制御可能な増幅器である外部可変利得低雑音増幅器３と、妨害波抑圧のためのＲＦフィルタ４、直接復調方式の復調受信ＩＣ５と、この受信装置の制御を行う制御部６で構成される。
【００１１】
外部可変利得低雑音増幅器３は、復調受信ＩＣ５の外部前段に設けられた増幅器で、デジタル制御信号により利得を可変することができる。また、雑音が低い状態で動作し得る低雑音増幅器（ＬＮＡ）である。
【００１２】
復調受信ＩＣ５は、ＩＦ周波数への変換が不必要な直接復調方式を用いた復調用のＩＣである。復調受信ＩＣ５は、電源や周波数設定などのＩＣの制御を行うＩＣ制御部７と、利得の制御を行う利得制御部８と、ＩＣ内部の内部可変利得低雑音増幅器９と、復調部１０と、ベースバンドフィルタ１１と、ベースバンド可変利得増幅器１２等で構成されている。また、利得制御部８からは、復調受信ＩＣ５の前段に設けられた外部可変利得低雑音増幅器３の利得制御を行うためのデジタル制御信号が出力されている。
【００１３】
以上のような受信装置の利得制御を、制御部６より送られる信号例を図２に示し、動作説明をする。復調受信ＩＣ５の利得制御部８は、制御部６からの指示で、外部可変利得低雑音増幅器３、内部可変利得低雑音増幅器９及びベースバンド可変利得増幅器１２の利得を制御するためのデジタル制御信号を出力する。このデジタル制御信号は、ストローブ、クロック、データの３信号で構成されている。ストローブは、各増幅器に対してデータを設定（書き込み）するための信号である。クロックは、常に特定の周期にてハイローを繰り返す信号であり、データもストローブもそのタイミングで信号が入力される。データは、利得情報が含まれる信号である。データは、利得情報であることを認識するアドレス、外部可変利得低雑音増幅器３、内部可変利得低雑音増幅器９及びベースバンド可変利得増幅器１２の利得の設定で構成されている。
【００１４】
利得データのテーブル例を用いて説明すると、１ｄＢごとの利得は、主にベースバンド可変利得増幅器１２を用いて行うが、図２の内部ＬＮＡ利得切替点１３の利得データのように、内部可変利得低雑音増幅器９の利得がローからハイになるときは、ベースバンド可変利得増幅器１２の利得を下げて１ｄＢごとの利得になるように調整する。同様に、外部ＬＮＡ利得切替点１４の利得データのように、外部可変利得低雑音増幅器３がローからハイになったときもベースバンド可変利得増幅器１２の利得を下げて１ｄＢごとの利得になるようにする。また、外部可変利得低雑音増幅器３のハイ情報を復調受信ＩＣ５が認識すると、内部にある利得制御部８より外部可変利得低雑音増幅器３にハイの信号を出力して外部可変利得低雑音増幅器３の利得を上げように制御を行う。
【００１５】
このように、復調受信ＩＣ５が、外部可変利得低雑音増幅器３の利得制御のためのデジタル制御信号を出力して、外部可変利得低雑音増幅器３を制御することにより、従来は制御部６から復調受信ＩＣ５及び外部可変利得低雑音増幅器３に接続されていた利得制御のための接続を削減することができる。また、復調受信ＩＣ５の内部の利得制御を行うデジタル制御信号に、外部可変利得低雑音増幅器３の利得制御のための情報を持たせることにより、利得制御のためのデジタル制御信号に係る情報を削減することができる。
【産業上の利用可能性】
【００１６】
本発明は、利得制御のための接続を削減し、利得制御のための情報を削減でき、受信利得の制御を行う受信装置及び復調受信ＩＣ等として有効である。
【図面の簡単な説明】
【００１７】
【図１】本発明に係る受信装置の構成を示す構成図
【図２】同受信装置の動作を説明する説明図
【符号の説明】
【００１８】
１    アンテナ部
２    共用器
３    外部可変利得低雑音増幅器
４    ＲＦフィルタ
５    復調受信ＩＣ
６    制御部
７    ＩＣ制御部
８    利得制御部
９    内部可変利得低雑音増幅器
１０  復調部
１１  ベースバンドフィルタフィルタ
１２  ベースバンド可変利得増幅器
１３  内部ＬＮＡ利得切替点
１４  外部ＬＮＡ利得切替点
【図１】
2005333212.tif 000003
【図２】
2005333212.tif 000004